(57)【要約】【課題】社会貢献と関連づけられた葉書による情報収集のためのアンケートへの参加を呼び掛ける、効果的な宣伝用印刷シートを提供する。【解決手段】本考案に係る宣伝用印刷シートは、その表面にアンケート用葉書を多数収納した葉書ポケットを装備しており、また、中央部の、ボランティア活動あるいは社会福祉への貢献の内容を、象徴的に表す画像が配置される画像配置領域と、上段の、前記ボランティア活動あるいは社会福祉への貢献の内容、方法を示したタイトル、協賛する企業、団体名、目的、内容、方法の詳細の説明文が記載されるタイトル領域と、下段の、前記アンケート用葉書の投函から前記ボランティア活動あるいは社会福祉への貢献に至る具体的過程と投函方法が記載される投函指示領域とを含む構成である。【選択図】図１
0003102821.tif 000002
【実用新案登録請求の範囲】
【請求項１】
企業、その他の組織団体にとって必要な情報を、ボランティア活動あるいは社会福祉への貢献に関連づけながら葉書によるアンケートで収集するために、葉書の記入、投函を呼び掛ける宣伝用印刷シートであって、
前記宣伝用印刷シートは、その表面に前記アンケート用葉書を多数収納した葉書ポケットを装備しており、また、
中央部の、前記ボランティア活動あるいは社会福祉への貢献の内容を、象徴的に表す画像が配置される画像配置領域と、
上段の、前記ボランティア活動あるいは社会福祉への貢献の内容、方法を示したタイトルを表示し、前記タイトルの上部に前記ボランティア活動あるいは社会福祉への貢献に協賛する企業、団体名を表示し、前記タイトルの下部に前記ボランティア活動あるいは社会福祉への貢献の目的、内容、方法の詳細の説明文が記載されるタイトル領域と、
下段の、前記アンケート用葉書の投函から前記ボランティア活動あるいは社会福祉への貢献に至る具体的過程と投函方法が記載される投函指示領域と
を含むことを特徴とする宣伝用印刷シート。
【請求項２】
前記画像配置領域に配置される画像は、前記宣伝用印刷シートと同様の情報を同様のボランティア活動あるいは社会貢献に関連づけながら、ネットワークを介してアンケート・メールで収集するインターネット上でモニターに表示される前記アンケート・メールに添付される画像と共通であることを特徴とする請求項１に記載の宣伝用印刷シート。
【請求項３】
前記投函指示領域に記載される前記アンケート用葉書の投函から前記ボランティア活動あるいは社会福祉に貢献する迄の具体的過程は、前記アンケート用葉書が記入・投函されて、前記情報の収集者に届いた段階で、前記情報の収集者がアンケートを集計、分析し前記必要な情報を得ると共に、アンケート用葉書１枚につき所定の金額を、所定の協賛ボランティア団体に振り込むシステムを経由して成されることを特徴とする請求項１又は２に記載の宣伝用印刷シート。
【考案の詳細な説明】
【技術分野】
【０００１】
本考案は、企業、その他の組織団体にとって必要な情報を、ボランティア活動あるいは社会貢献に関連づけながら葉書によるアンケートで収集するために、一般の人に社会貢献の内容を理解しアンケート葉書に記入し、投函するように呼び掛けるポスター等の宣伝用印刷シートに関する。
【背景技術】
【０００２】
最近、電子メールを用いたアンケートで、企業、その他の組織団体にとって必要な情報を多人数から収集するシステムが開示されている（例えば、特許文献１参照）。更に、社会的貢献度という観点から企業のイメージアップに繋げるために、この情報収集を「骨髄移植」「難民支援」等への募金と連動させたシステムもある。例えば、Ｗｅｂサイトで「クリック募金」というシステムが見受けられる。このシステムでは、ユーザが自分の端末上でアンケートに答えると共に、「募金ボタン」をクリックすると、スポンサー企業からＮＰＯ団体等へ所定の寄付がなされ、その内容が端末上に表示される。
【０００３】
しかし電子メールを用いたアンケートでは、電子通信情報網が発達した今日でもインターネットを日常的に使用する人は限られており、また、インターネットを使用したとしても必ずしも見てほしいＷｅｂサイトにアクセスしてくれる保証がないので、アンケート対象者が限られるという問題がある。従って、なるべく多くの人からアンケートを収集するためには、依然としてポスター等の印刷物による宣伝と、葉書によるアンケートの収集は有力な手段であり、また、インターネットと併用すれば、更に情報収集力は著しく向上する。
【０００４】
このような葉書によるアンケートを呼び掛けるポスター等の印刷物には、アンケート用の葉書が付随していることが望ましい。葉書やパンフレットを入れるポケットを設けたポスターは、既に開示されているが（例えば、特許文献２参照）、このポケットは複雑な形態をしており製作に手間が掛かるという問題がある。
【０００５】
【特許文献１】特開平１１−１４３８６５号公報
【特許文献２】特開２００２−２４４６０１号公報
【考案の開示】
【考案が解決しようとする課題】
【０００６】
上記問題を解決するために、本考案は単純な形態のアンケート用葉書を収納する葉書ポケットを有し、社会貢献と関連づけられた葉書による情報収集のためのアンケートに参加するように呼び掛ける宣伝用印刷シートを提供することを目的としている。更に、インターネットを用いたアンケートとの併用を容易にするために、宣伝用印刷シートの一部の画像をインターネットのアンケート・メールに添付するものと共通にすることを目的としている。
【課題を解決するための手段】
【０００７】
上記目的を達成するために、請求項１に記載の考案は、企業、その他の組織団体にとって必要な情報を、ボランティア活動あるいは社会福祉への貢献に関連づけながら葉書によるアンケートで収集するために、アンケート用葉書の記入、投函を呼び掛ける宣伝用印刷シートであって、前記宣伝用印刷シートは、その表面に前記アンケート用葉書を多数収納した葉書ポケットを装備しており、中央部の、前記ボランティア活動あるいは社会福祉への貢献の内容を、象徴的に表す画像が配置される画像配置領域と、上段の、前記ボランティア活動あるいは社会福祉への貢献の内容、方法を示したタイトルを表示し、前記タイトルの上部に前記ボランティア活動あるいは社会福祉への貢献に協賛する企業、団体名を表示し、前記タイトルの下部に前記ボランティア活動あるいは社会福祉への貢献の目的、内容、方法の詳細の説明文が記載されるタイトル領域と、
下段の、前記アンケート用葉書の投函から前記ボランティア活動あるいは社会福祉への貢献に至る具体的過程と投函方法が記載される投函指示領域と
を含むことを特徴とする。
【０００８】
また、請求項２に記載の考案は、請求項１に記載の宣伝用印刷物において、前記画像配置領域に配置される画像は、前記宣伝用印刷シートと同様にボランティア活動あるいは社会福祉への貢献に関連づけながら、必要な情報をネットワークを介してアンケート・メールで収集するＷｅｂサイト上でモニターに表示される前記アンケート・メールに添付される画像と共通であることを特徴とする。
また、請求項３に記載の考案は、請求項１または２に記載の宣伝用印刷物において、前記投函指示領域に記載される前記アンケート用葉書の投函から前記ボランティア活動あるいは社会福祉に貢献する迄の具体的過程は、前記アンケート用葉書が記入・投函されて、前記情報の収集者に届いた段階で、前記情報の収集者がアンケートを集計、分析し前記必要な情報を得ると共に、アンケート用葉書１枚につき所定の金額を、所定の協賛ボランティア団体に振り込むシステムを経由して成されることを特徴とする。
【考案の効果】
【０００９】
本考案に係る宣伝用印刷シートは、アンケート参加者がアンケート葉書に記載・投函することによりボランティア活動に参加した、或は社会に貢献したという満足感が得られるように構成されており、しかも、直ちに参加できるようにアンケート用葉書を収納した葉書ポケットを装備しているので、アンケート参加者が増えて情報収集力が高まる。また、情報収集する側の企業、団体は、ボランティア活動や社会福祉に協賛しているとことでイメージが良くなる効果も得られる。
【００１０】
更に本考案に係る宣伝用印刷物の印刷物シートの画像は、ネットワークを介してアンケート・メールで情報収集を行うＷｅｂサイト上でモニターに表示されるアンケート・メールに添付される画像と共通のものを用い、葉書を用いたアンケートとメールを用いたアンケートの併用を容易にしてあり、これにより一層、情報収集力が向上する効果が得られる。
【考案を実施するための最良の形態】
【００１１】
以下、本考案について図に基づいて説明する。
図１に本考案に係る宣伝用印刷物の印刷物シートを示す。印刷物シート１は、本実施例では葉書のアンケートに答えて、アフリカ等の難民の子供達の医療その他の救援活動を援助するボランティア団体に寄付をしようと呼び掛けるポスターである。このポスターは印刷されて各地の学校、公共施設等の掲示板に掲示されるものである。
印刷物シート１はアンケート用葉書２を収納する葉書ポケット３を装備しており、この印刷物シートを見て、趣旨に賛同した人が直ちに、アンケートに参加できるようになっている。葉書は料金受取人払いであることが好ましい。葉書ポケット３は厚紙を折り曲げて印刷物シート１に貼り付けた簡単な構造のものでよい。
【００１２】
印刷物シート１の中央部は、葉書アンケートに答えることによって実施されるボランティア活動あるいは社会福祉への貢献の内容を、象徴的に表す画像が配置される画像配置領域６である。本実施例では、画像はアフリカ等の難民の子供達を表す写真４の周囲に、アンケートに答えボランティア活動に協力する若者の顔写真５が複数配置されている。
【００１３】
画像配置領域６に配置される画像は、葉書アンケートで実施するのと全く同じ内容で、アンケート方法を葉書アンケートからインターネットを介して行うメール・アンケートに置き換えて実施する情報収集において、インターネット上でモニター画面に表示されるアンケート・メールに添付される画像と共通にしておくことが好ましい。画像を共通にすることにより、葉書アンケートとメール・アンケートの併用が容易になり、情報収集力が飛躍的に向上する。
【００１４】
印刷物シート１の上段はタイトル領域１０である。タイトル領域１０には、ボランティア活動あるいは社会福祉の内容とこれに参加する方法の概略を示すタイトル７が記載される。本実施例では「ハガキでボランティア」といったタイトルが大きな色文字で表示される。タイトル７の上部には、当該アンケートの情報を必要とし、且つボランティア活動あるいは社会福祉に協賛して寄付をする企業、団体名８が記載される。更に、タイトル７の下部には、ボランティア活動あるいは社会福祉の目的、内容、参加方法等の詳細な説明文９が記載される。
【００１５】
印刷物シート１の下段は、アンケート用葉書の記入・投函から、ボランティア活動あるいは社会福祉に至る過程と投函方法を具体的に記載した投函指示領域１１である。
【００１６】
次に、本考案に係る宣伝用印刷物により、どのように情報が収集されるかを説明する。
学校、公共施設等の掲示板で印刷物シート（ポスター）を見た人がボランティアの趣旨に賛同すると、葉書ポケットからアンケート用葉書を抜き取り、葉書に印刷されているアンケート項目、その他の必要事項を書き込み投函する。通常アンケート用葉書は、宛先が予め印刷してあり、また、料金は受取人払いであるので、アンケート参加者は、アンケート部分のみを記載すれば、直ちに投函できる。
【００１７】
投函された記入済みアンケート用葉書は予め印刷されている宛先に配達される。通常、配達先は情報を収集しようとする企業、団体である。ここで、アンケートの集計が行なわれると同時に、予め葉書１枚につき何円ときめた金額に従ってボランティア団体への寄付金が計算される。集計されたアンケート結果は適宜、解析して当該企業、団体にとって有益な情報に変換される。一方、寄付金は、例えば、日本国連ＨＣＲ協会を通して国連難民高等弁務官事務所へ送られる。
葉書アンケートとメール・アンケートを併用する場合は、アンケートの集計をコンピューターで行ない、集計結果をメール・アンケートと共通に保管して、解析することも可能である。
情報収集を行う企業、団体は、情報収集業者に支払う手数料等の全部、又は一部をボランティア団体等に寄付することにより、企業のイメージアップを計りつつ、必要な情報を得ることが可能となる。
【図面の簡単な説明】
【００１８】
【図１】本考案の実施の形態に係る宣伝用印刷シート。
【符号の説明】
【００１９】
１  宣伝用印刷シート
２  アンケート用葉書
３  葉書ポケット
６  画像配置領域
７  タイトル
１０  タイトル領域
１１  投函指示領域
【図１】
0003102821.tif 000003